(57)【要約】【課題】排水管内の洗浄効率を向上させると共に、作業者の負担を軽減し、ホースとの摩擦により管内の曲がり部にダメージを与える度合いを少なくすることができる管内洗浄用ノズルおよびこれを用いた排水管洗浄方法を提供すること。【解決手段】立管２の上端部からノズルＮを挿入し、ノズルを横引き管３に至るまで引き下ろす。続いて送水ホースＨに高圧水を送ることでノズルに形成された斜め後方への噴射口より高圧水を噴射し、その推進力によりノズルＮを横引き管３内に進行させることで、横引き管内を洗浄する。高圧水の送水を停止し、再び送水を開始させることで前記ノズルに形成された斜め前方への噴射口より高圧水を噴射させつつ、前記ノズルを横引き管内から立管内に沿って引き上げ、噴射水により横引き管内および前記立管内を洗浄する。【選択図】図３
2008163644.tif 000002
【特許請求の範囲】
【請求項１】
送水ホースの先端部に取り付けられ、前記ホースを介して送られる高圧水を、ホース側から視た斜め前方および斜め後方に噴射する噴射口をそれぞれ形成したノズル本体と、
前記ノズル本体内に収容され、重力を受けて移動する封止体により、前記ノズル本体に形成された斜め前方への噴射口および斜め後方への噴射口に対して、前記高圧水の送水を択一的に切り換える切替え弁とを備えたことを特徴とする管内洗浄用ノズル。
【請求項２】
前記ホース側から視たノズル本体の前方が下向きに設定された場合、前記切替え弁を構成する封止体がノズル本体内の前方側に移動して、前記ノズル本体に形成された斜め前方への噴射口に至る高圧水を封止することで、ノズル本体に形成された斜め後方への噴射口に対して高圧水を送水するよう構成され、
前記ホース側から視たノズル本体が水平方向に向くように設定された場合、前記封止体がノズル本体の前方側から離れ、前記ノズル本体に形成された斜め後方への噴射口に至る高圧水を封止することで、ノズル本体に形成された斜め前方への噴射口に対して高圧水を送水するよう構成されることを特徴とする請求項１に記載された管内洗浄用ノズル。
【請求項３】
前記ホース側から視たノズル本体の前方が下向きに設定された場合、前記切替え弁を構成する封止体がノズル本体内の前方側に移動して、前記ノズル本体に形成された斜め後方への噴射口に至る高圧水を封止することで、ノズル本体に形成された斜め前方への噴射口に対して高圧水を送水するよう構成され、
前記ホース側から視たノズル本体が水平方向に向くように設定された場合、前記封止体がノズル本体の前方側から離れ、前記ノズル本体に形成された斜め前方への噴射口に至る高圧水を封止することで、ノズル本体に形成された斜め後方への噴射口に対して高圧水を送水するよう構成されることを特徴とする請求項１に記載された管内洗浄用ノズル。
【請求項４】
前記斜め前方への噴射口および斜め後方への噴射口はそれぞれ複数備えられ、前記ノズル本体に対して放射状に形成されていることを特徴とする請求項１ないし請求項３のいずれか１項に記載された管内洗浄用ノズル。
【請求項５】
前記切替え弁を構成する封止体は球状部材により構成され、前記球状部材が重力を受けて移動することで、ノズル本体内に形成された前記斜め前方への噴射口に通ずる円形状の開口、もしくはノズル本体内に形成された斜め後方への噴射口に通ずる円形状の開口を、択一的に閉塞するように構成されていることを特徴とする請求項１ないし請求項４のいずれか１項に記載された管内洗浄用ノズル。
【請求項６】
前記ホースを介して送られる高圧水の噴射により回転駆動されるロータが前記ノズル本体に具備され、前記ロータの回転に伴い、前記ホースを介して送られる高圧水をノズル本体の周方向に回転させつつ噴射させる回転噴射手段がさらに具備されていることを特徴とする請求項１ないし請求項５のいずれか１項に記載された管内洗浄用ノズル。
【請求項７】
前記ホース側から視たノズル本体の前端部側に、可撓性の連結部材を介して重りが取り付けられていることを特徴とする請求項１、請求項３ないし請求項６のいずれか１項に記載された管内洗浄用ノズル。
【請求項８】
前記重りが複数個の重りに分割されて具備され、前記各重りが可撓性の連結部材をそれぞれ介して直列に接続されていることを特徴とする請求項７に記載された管内洗浄用ノズル。
【請求項９】
請求項１、請求項２、請求項４ないし請求項６のいずれか１項に記載された管内洗浄用ノズルを利用して排水管内を洗浄する排水管洗浄方法であって、
建築物に垂直方向に敷設された立管と、この立管の下流に連通する水平方向に敷設された横引き管の管内を洗浄するに際して、
前記立管の上端部もしくはその付近から、送水ホースの先端部に取り付けられた前記ノズルを立管内に挿入し、前記ノズルが横引き管に至るまで前記ホースを挿入する工程と、  前記送水ホースに高圧水を送ることで、前記ノズルに形成された斜め後方への噴射口より高圧水を噴射し、ノズルを前記横引き管内に進行させることで、噴射水により横引き管内を洗浄する工程と、
前記送水ホースに対する高圧水の送水を停止し、再び送水を開始させることで前記ノズルに形成された斜め前方への噴射口より高圧水を噴射させつつ、前記ノズルを横引き管内から前記立管内に沿って引き上げ、噴射水により横引き管内および前記立管内を洗浄する工程と、
を実行することを特徴とする排水管洗浄方法。
【請求項１０】
請求項１、請求項２、請求項４ないし請求項６のいずれか１項に記載された管内洗浄用ノズルを利用して排水管内を洗浄する排水管洗浄方法であって、
建築物に垂直方向に敷設された立管と、この立管の下流に連通する水平方向に敷設された横引き管の管内を洗浄するに際して、
前記立管の上端部もしくはその付近から、送水ホースの先端部に取り付けられた前記ノズルを立管内に挿入し、続いて送水ホースに高圧水を送ることで、前記ノズルに形成された斜め後方への噴射口より高圧水を噴射し、ノズルを横引き管に至るまで進行させることで噴射水により立管内を洗浄する工程と、
前記ノズルに形成された斜め後方への噴射口より高圧水の噴射を継続して、ノズルを前記横引き管内に進行させることで、噴射水により横引き管内を洗浄する工程と、
前記送水ホースに対する高圧水の送水を停止し、再び送水を開始させることで前記ノズルに形成された斜め前方への噴射口より高圧水を噴射させつつ、前記ノズルを横引き管内から前記立管内に沿って引き上げ、噴射水により横引き管内および前記立管内を再び洗浄する工程と、
を実行することを特徴とする排水管洗浄方法。
【請求項１１】
請求項１、請求項３ないし請求項８のいずれか１項に記載された管内洗浄用ノズルを利用して排水管内を洗浄する排水管洗浄方法であって、
建築物に垂直方向に敷設された共用の立管にそれぞれ連通する各宅内に敷設された専用排水管の管内を洗浄するに際して、
前記各宅内における専用排水管に通ずる排水口より送水ホースの先端部に取り付けられた前記ノズルを挿入し、続いて送水ホースに高圧水を送ることで、前記ノズルに形成された斜め後方への噴射口より高圧水を噴射し、ノズルを前記専用排水管内から前記立管の合流部まで進行させることで、噴射水により専用排水管内を洗浄する工程と、
前記送水ホースに対する高圧水の送水を停止し、再び送水を開始させることで前記ノズルに形成された斜め前方への噴射口より高圧水を噴射させつつ、前記ノズルを専用排水管内に沿って引き戻し、噴射水により専用排水管内を再び洗浄する工程と、
を実行することを特徴とする排水管洗浄方法。
【請求項１２】
請求項１、請求項３ないし請求項８のいずれか１項に記載された管内洗浄用ノズルを利用して排水管内を洗浄する排水管洗浄方法であって、
建築物に垂直方向に敷設された共用の立管と、前記立管にそれぞれ連通する各宅内に敷設された専用排水管の管内を洗浄するに際して、
前記各宅内における専用排水管に通ずる排水口より送水ホースの先端部に取り付けられた前記ノズルを挿入し、続いて送水ホースに高圧水を送ることで、前記ノズルに形成された斜め後方への噴射口より高圧水を噴射し、ノズルを前記専用排水管内から前記立管の合流部まで進行させることで、噴射水により専用排水管内を洗浄する工程と、
前記ノズルに形成された斜め後方への噴射口より高圧水の噴射を継続して前記立管と下の階の専用排水管との合流部までノズルを進行させることで、噴射水により立管内を洗浄する工程と、
前記送水ホースに対する高圧水の送水を停止し、再び送水を開始させることで前記ノズルに形成された斜め前方への噴射口より高圧水を噴射させつつ、前記ノズルを立管内および専用排水管内に沿って引き戻し、噴射水により立管内および専用排水管内を再び洗浄する工程と、
を実行することを特徴とする排水管洗浄方法。
【発明の詳細な説明】
【技術分野】
【０００１】
この発明は、集合住宅等の排水管内を洗浄するのに適した管内洗浄用ノズルおよびこれを用いた排水管洗浄方法に関する。
【背景技術】
【０００２】
近年、土地の有効活用等の理由から、特に都市部やその近郊において高層ビル形式の集合住宅が多数建設されている。このビル形式の集合住宅から排出される生活排水（汚水）は、個別の宅内に敷設された専用排水管からビル内部に設けられた共用の立管を介して、外部の横引き管に排出されるように構成され、これにより良好な生活環境が維持されるようになされている。
【０００３】
ところで、この生活排水（汚水）には多量の残渣、油脂等が含まれているために、前記した専用排水管のみならず共用排水管（前記立管および横引き管）の管壁に固形物となって付着し、相当の期間の経過により排水管を閉塞させることもある。また、この固形物から悪臭が放され、生活環境を悪化させることもある。このような生活環境の悪化を防止し、良好な生活環境を維持するために、一定期間ごとに専用排水管ならびに共用排水管の清掃が必要となる。
【０００４】
従来、このように排水管内に付着した固形物を洗浄する（除去する）一つの手段として、高圧水噴射洗浄法（以下、高圧洗浄法という）が採用されている。この高圧洗浄法は、ホースの先端に取り付けられたノズルから排水管内に付着した固形物に向けて、高圧の水を噴射し、前記固形物を除去するものである。
【０００５】
図８〜図１１は、高層のビル形式による集合住宅における排水管の設置状況の一例、ならびに高圧洗浄法の作業例を模式的に示したものである。すなわち、図８〜図１１に示すＡ，Ｂ，Ｃは、各階における個別の宅内を示したものであり、各宅内の台所、洗面所、洗濯パン、浴室からの生活排水は、それぞれ各宅内の床下部分に水平方向に敷設された専用排水管１ａ，１ｂ，１ｃに排出され、これらは建築物（集合住宅）に垂直方向に敷設された共用の立管２に集合され、外部の横引き管３に流される。
【０００６】
前記した排水管の敷設状態においては、一般的に前記立管２および横引き管３を含む共用排水管と、個別の宅内における専用排水管１ａ，１ｂ，１ｃとに別けて洗浄する工法が採用される。
【０００７】
まず図８は、前記立管２および横引き管３を含む共用排水管を洗浄する工法を説明するものであり、マンホール４または図示せぬ横引き管掃除口より、洗浄用ノズルＮを横引き管３を介して立管２に挿入する。これは上向き洗浄と呼ばれる洗浄工法を示しており、通常における共用排水管の洗浄は、この上向き洗浄が採用される。この場合、フレキシブルホースＨの先端に高圧水を斜め後方に噴射する洗浄用ノズルを取り付け、高圧水の噴射によるノズルの前方向への推進力を利用するようになされる。
【０００８】
すなわち、図８に示す例においては作業者Ｐは、ホースＨの先端に取り付けられたノズルＮをマンホール４から横引き管３内に差し込み、ノズルＮより高圧水を斜め後方に噴射させることによるノズルの前方向への推進力を利用して、ノズルＮを横引き管３から立管２に向かって前進させつつ、管内の洗浄を行う。
【０００９】
また、ノズルＮが立管２の上端部付近まで達した場合には、ノズルＮより高圧水を噴射させたまま、ホースＨを引き戻す操作を行うことで、管内から剥離された汚れは噴射水により引き落とされるようにして横引き管３側に搬出される。これにより、ノズルＮの行きと帰りの２度において共用排水管を洗浄することができる。
【００１０】
ところで、排水管の種類や構造により、図８に示した上向き洗浄の工法が採用できない場合があり、この場合には図９に示すように、屋上付近の通気口５、或いは最上階付近の掃除口６を利用して洗浄作業が行われる。図９に示す例は下向き洗浄と呼ばれる洗浄工法を示しており、最上階付近の掃除口６より、立管２にノズルＮを挿入し、高圧水を噴射させない状態でホースＨを繰り出して、先端のノズルＮを最下階まで挿入する。この状態で高圧水をノズルＮより噴射させつつホースＨを引き上げることで、共用排水管（立管２）内を洗浄することができる。
【００１１】
なお、図９に示す下向き洗浄においては、ノズルＮにおける高圧水の噴射方向はノズルの進退方向に直交する方向に（ノズルの周方向に噴射するように）構成されていることが望ましい。これによりノズルＮの引き上げ時において、高圧水の噴射により発生するノズルの引上げ抵抗を軽減させることができる。
【００１２】
一方、図１０は専用排水管の洗浄工法を説明するものである。図１０に示す例においてはＡ宅内における専用排水管１ａを洗浄する様子を示したものであり、台所、洗面所、洗濯パン、浴室の４か所の排水口よりノズルＮを挿入して洗浄が行われる。この場合、前記ノズルＨは図８に示した上向き洗浄において用いるものと同様に、高圧水を斜め後方に噴射させるものが用いられる。
【００１３】
これにより、ノズルの前方向への推進力を利用して、立管２の合流部まで洗浄が行われる。そして、ノズルＮが立管２の合流部まで進んだ場合には、噴射水の噴射を停止させてホースを引き抜くことになる。
【００１４】
これはホースを引き抜く際にも噴射水を噴射させた方が管内の洗浄効率を上げることができるものの、ノズルの前方向への推進力により排水管の曲がり部において大きな抵抗が発生し、ホース引き抜きの労力が大きく、また配管内の特に曲がり部にダメージを与えるのを避ける意味がある。そして、前記した専用排水管の洗浄工法は、各階における宅内において同様に行われる。
【００１５】
ところで、共用排水管を洗浄する場合において、図８および図９に示した上向き洗浄工法および下向き洗浄工法も採用できないような場合には、オーバーラップ洗浄工法を採用する場合もある。図１１は、その洗浄工法を説明するものであり、これは図１０に示した例と同様に各宅内に敷設された専用排水管を利用して共用排水管内にノズルを挿入するものである。
【００１６】
この場合においても、ノズルＨは高圧水を斜め後方に噴射させるものが用いられる。すなわち図１１に示すようにＡ宅内の専用排水管１ａにノズルＮを挿入し、高圧水を噴射させることによるノズルの前方向への推進力を利用して、立管２の合流部まで洗浄を行う。さらに立管２との合流後も、そのまま高圧水を噴射させつつノズルＮを下階における専用排水管１ｂの合流部まで進行させて立管２内を洗浄する。
【００１７】
ノズルＮが下階における専用排水管１ｂの合流部まで達した場合には、高圧水の噴射を止めて、ホースＨを引き抜く作業が行われる。これはホースを引き抜く際にも噴射水を噴射させた方が管内の洗浄効率を上げることができるものの、ノズルの前方向への推進力により排水管の曲がり部において大きな抵抗が発生し、ホース引き抜きの労力が大きく、また配管内の特に曲がり部にダメージを与えるのを避ける意味がある。
【００１８】
前記したオーバーラップ洗浄工法は、各階毎に同様の洗浄工法を実行することで、立管２の全体を洗浄することができる。なお、前記した各洗浄工法において用いられる高圧水を斜め後方に噴射させる管内洗浄用のノズルについては、すでに数多くの特許出願がなされており、例えば特許文献１および２などに開示されている。
【特許文献１】特開２００３−１８４１５１号公報
【特許文献２】特開２００６−２３９６３７号公報
【発明の開示】
【発明が解決しようとする課題】
【００１９】
ところで、図９に示した従来における共用排水管の下向き洗浄においては、立管２と横引き管３との間に曲がり部Ｔ１が存在するために、ノズルＮを横引き管３の奥までに誘導することが難しく、横引き管３の洗浄に限界が生ずる。
【００２０】
そこで、ノズルＮとして高圧水を斜め後方に噴射するものを用いれば、その推進力を利用して横引き管３の奥までにノズルを誘導することが可能ではあるものの、前記ノズルを引き出しつつ管内の洗浄を行うには、まず前記曲がり部Ｔ１においてホースＨとの間で摩擦が発生する。さらに、立管２の高さ分に引き出された長尺なホースの重量と、ノズルＮの推進力に対抗してホースを引き上げなけれはならないために、作業者Ｐに大きな負担が加わるという問題点を抱えることになる。
【００２１】
一方、図１０に示した従来における専用排水管の洗浄工法においても、排水口と専用排水管１ａとの間に曲がり部Ｔ２が存在するために、ノズルＮより高圧水を斜め後方に噴射させたまま、ホースＨを引き抜く作業は同様に作業者への負担が大きく、曲がり部Ｔ２にダメージを与える可能性が生ずる。このために、従来における専用排水管の洗浄工法においてはすでに説明したとおり、ノズルＮの進行時（往動時）において管内の洗浄を行い、ノズルＮの戻り時（復動時）には高圧水の噴射を停止させざるを得ない。
【００２２】
さらに、図１１に示した従来におけるオーバーラップ洗浄工法においても、排水口と専用排水管１ａとの間に曲がり部Ｔ２が、また専用排水管１ａと立管２との間に曲がり部Ｔ３がそれぞれ存在するために、同様の理由によりノズルＮの進行時（往動時）において管内の洗浄を行い、ノズルＮの戻り時（復動時）には高圧水の噴射を停止させざるを得ない。
【００２３】
この発明は、従来における共用排水管の下向き洗浄工法、専用排水管の洗浄工法、並びにオーバーラップ洗浄工法を実行する場合の前記した各問題点に着目してなされたものであり、ノズルの往復動においてそれぞれ高圧水の噴射を行うことで管内の洗浄効率を向上させると共に、作業者の負担を軽減し、かつホースとの摩擦により排水管内の特に曲がり部にダメージを与える度合いを少なくすることができる管内洗浄用ノズルおよびこれを用いた排水管洗浄方法を提供することを課題とするものである。
【課題を解決するための手段】
【００２４】
前記した課題を解決するためになされたこの発明にかかる管内洗浄用ノズルは、送水ホースの先端部に取り付けられ、前記ホースを介して送られる高圧水を、ホース側から視た斜め前方および斜め後方に噴射する噴射口をそれぞれ形成したノズル本体と、前記ノズル本体内に収容され、重力を受けて移動する封止体により、前記ノズル本体に形成された斜め前方への噴射口および斜め後方への噴射口に対して、前記高圧水の送水を択一的に切り換える切替え弁とを備えた点に特徴を有する。
【００２５】
この場合、好ましい一つの形態は、前記ホース側から視たノズル本体の前方が下向きに設定された場合、前記切替え弁を構成する封止体がノズル本体内の前方側に移動して、前記ノズル本体に形成された斜め前方への噴射口に至る高圧水を封止することで、ノズル本体に形成された斜め後方への噴射口に対して高圧水を送水するよう構成され、前記ホース側から視たノズル本体が水平方向に向くように設定された場合、前記封止体がノズル本体の前方側から離れ、前記ノズル本体に形成された斜め後方への噴射口に至る高圧水を封止することで、ノズル本体に形成された斜め前方への噴射口に対して高圧水を送水するよう構成される。
【００２６】
また、好ましい他の一つの形態は、前記ホース側から視たノズル本体の前方が下向きに設定された場合、前記切替え弁を構成する封止体がノズル本体内の前方側に移動して、前記ノズル本体に形成された斜め後方への噴射口に至る高圧水を封止することで、ノズル本体に形成された斜め前方への噴射口に対して高圧水を送水するよう構成され、前記ホース側から視たノズル本体が水平方向に向くように設定された場合、前記封止体がノズル本体の前方側から離れ、前記ノズル本体に形成された斜め前方への噴射口に至る高圧水を封止することで、ノズル本体に形成された斜め後方への噴射口に対して高圧水を送水するよう構成される。
【００２７】
前記したいずれの形態においても、前記斜め前方への噴射口および斜め後方への噴射口はそれぞれ複数備えられ、前記ノズル本体に対して放射状に形成されていることが望ましい。
【００２８】
また、前記切替え弁を構成する封止体は球状部材により構成されていることが望ましく、前記球状部材が重力を受けて移動することで、ノズル本体内に形成された前記斜め前方への噴射口に通ずる円形状の開口、もしくはノズル本体内に形成された斜め後方への噴射口に通ずる円形状の開口を、択一的に閉塞するように構成される。
【００２９】
これに加えて、好ましくは前記ホースを介して送られる高圧水の噴射により回転駆動されるロータが前記ノズル本体に具備され、前記ロータの回転に伴い、前記ホースを介して送られる高圧水をノズル本体の周方向に回転させつつ噴射させる回転噴射手段がさらに具備された構成のノズルを採用することもできる。
【００３０】
さらに、前記ホース側から視たノズル本体の前端部側に、可撓性の連結部材を介して重りが取り付けられた構成のノズルも好適に利用することもできる。この場合、前記重りが複数個の重りに分割されて具備され、前記各重りが可撓性の連結部材をそれぞれ介して直列に接続された構成とすることが望ましい。
【００３１】
また、前記した課題を解決するためになされたこの発明にかかる排水管洗浄方法の好ましい一つの態様は、請求項１、請求項２、請求項４ないし請求項６のいずれか１項に記載された管内洗浄用ノズルを利用して排水管内を洗浄する排水管洗浄方法であって、建築物に垂直方向に敷設された立管と、この立管の下流に連通する水平方向に敷設された横引き管の管内を洗浄するに際して、前記立管の上端部もしくはその付近から、送水ホースの先端部に取り付けられた前記ノズルを立管内に挿入し、前記ノズルが横引き管に至るまで前記ホースを挿入する工程と、前記送水ホースに高圧水を送ることで、前記ノズルに形成された斜め後方への噴射口より高圧水を噴射し、ノズルを前記横引き管内に進行させることで、噴射水により横引き管内を洗浄する工程と、前記送水ホースに対する高圧水の送水を停止し、再び送水を開始させることで前記ノズルに形成された斜め前方への噴射口より高圧水を噴射させつつ、前記ノズルを横引き管内から前記立管内に沿って引き上げ、噴射水により横引き管内および前記立管内を洗浄する工程とが実行される点（下向き洗浄工法の１）に特徴を有する。
【００３２】
またこの発明にかかる排水管洗浄方法の他の好ましい一つの態様は、請求項１、請求項２、請求項４ないし請求項６のいずれか１項に記載された管内洗浄用ノズルを利用して排水管内を洗浄する排水管洗浄方法であって、建築物に垂直方向に敷設された立管と、この立管の下流に連通する水平方向に敷設された横引き管の管内を洗浄するに際して、前記立管の上端部もしくはその付近から、送水ホースの先端部に取り付けられた前記ノズルを立管内に挿入し、続いて送水ホースに高圧水を送ることで、前記ノズルに形成された斜め後方への噴射口より高圧水を噴射し、ノズルを横引き管に至るまで進行させることで噴射水により立管内を洗浄する工程と、前記ノズルに形成された斜め後方への噴射口より高圧水の噴射を継続して、ノズルを前記横引き管内に進行させることで、噴射水により横引き管内を洗浄する工程と、前記送水ホースに対する高圧水の送水を停止し、再び送水を開始させることで前記ノズルに形成された斜め前方への噴射口より高圧水を噴射させつつ、前記ノズルを横引き管内から前記立管内に沿って引き上げ、噴射水により横引き管内および前記立管内を再び洗浄する工程とが実行される点（下向き洗浄工法の２）に特徴を有する。
【００３３】
またこの発明にかかる排水管洗浄方法の他の好ましい一つの態様は、請求項１、請求項３ないし請求項８のいずれか１項に記載された管内洗浄用ノズルを利用して排水管内を洗浄する排水管洗浄方法であって、建築物に垂直方向に敷設された共用の立管にそれぞれ連通する各宅内に敷設された専用排水管の管内を洗浄するに際して、前記各宅内における専用排水管に通ずる排水口より送水ホースの先端部に取り付けられた前記ノズルを挿入し、続いて送水ホースに高圧水を送ることで、前記ノズルに形成された斜め後方への噴射口より高圧水を噴射し、ノズルを前記専用排水管内から前記立管の合流部まで進行させることで、噴射水により専用排水管内を洗浄する工程と、前記送水ホースに対する高圧水の送水を停止し、再び送水を開始させることで前記ノズルに形成された斜め前方への噴射口より高圧水を噴射させつつ、前記ノズルを専用排水管内に沿って引き戻し、噴射水により専用排水管内を再び洗浄する工程とが実行される点（専用排水管洗浄工法）に特徴を有する。
【００３４】
さらにこの発明にかかる排水管洗浄方法の他の好ましい一つの態様は、請求項１、請求項３ないし請求項８のいずれか１項に記載された管内洗浄用ノズルを利用して排水管内を洗浄する排水管洗浄方法であって、建築物に垂直方向に敷設された共用の立管と、前記立管にそれぞれ連通する各宅内に敷設された専用排水管の管内を洗浄するに際して、前記各宅内における専用排水管に通ずる排水口より送水ホースの先端部に取り付けられた前記ノズルを挿入し、続いて送水ホースに高圧水を送ることで、前記ノズルに形成された斜め後方への噴射口より高圧水を噴射し、ノズルを前記専用排水管内から前記立管の合流部まで進行させることで、噴射水により専用排水管内を洗浄する工程と、前記ノズルに形成された斜め後方への噴射口より高圧水の噴射を継続して前記立管と下の階の専用排水管との合流部までノズルを進行させることで、噴射水により立管内を洗浄する工程と、前記送水ホースに対する高圧水の送水を停止し、再び送水を開始させることで前記ノズルに形成された斜め前方への噴射口より高圧水を噴射させつつ、前記ノズルを立管内および専用排水管内に沿って引き戻し、噴射水により立管内および専用排水管内を再び洗浄する工程とが実行される点（オーバーラップ洗浄工法）に特徴を有する。
【発明の効果】
【００３５】
前記した構成の管内洗浄用ノズルによると、ノズル本体内に重力を受けて移動する封止体を含む切替え弁が備えられ、この切替え弁によってノズル本体に形成された斜め前方への噴射口および斜め後方への噴射口に対する高圧水の供給を択一的に切り換えることができる。すなわち、高圧水の送水を停止させた時のノズル本体の姿勢によって、高圧水の噴射方向を選択することが可能であり、排水管内の洗浄工法に応じて、ノズルの前方向または後方向（戻り方向）への推進力を利用しつつ排水管内を洗浄することができる。
【００３６】
また、前記した排水管の洗浄方法によると、前記洗浄用ノズルの前方向または後方向への推進力を利用して、送水ホースの繰り出しまたは引き戻しの操作を行うことができるので、作業者の負担を軽減することができる。また、排水管内の曲がり部に対する送水ホースの摺接度合いを低減させることができるので、前記曲がり部にダメージを与える度合いを少なくすることができる。加えて、排水管内を移動するノズルの往動および復動の２回にわたってそれぞれ高圧水の噴射を行うことができるので、排水管内の洗浄効率を一層向上させることができる。
【発明を実施するための最良の形態】
【００３７】
以下、この発明にかかる管内洗浄用ノズルおよびこれを用いた排水管洗浄方法について、図に示す実施の形態に基づいて説明する。まず、図１Ａおよび図１Ｂは管内洗浄用ノズルの第１の実施の形態をその中央部で切断した状態で示したものであり、これは後述する共用排水管の下向き洗浄工法において利用するに適したノズル構成を示している。
【００３８】
図１Ａはノズルの先端を下向きにした状態を、また図１Ｂはノズルを水平方向に向けた状態をそれぞれ示している。図に示すノズル本体１１は金属素材により構成され、端部のホース接続口１２において図示せぬ接続金具を介して送水ホースの先端部に取り付けられる。前記ノズル本体１１には、その軸芯１３に沿って、ホース接続口１２より供給される高圧水の送水空間１４が形成されている。そして送水空間１４の大径部には、重力を受けて移動する封止体としての球状部材（以下ボールと称する。）１５が収容されている。
【００３９】
前記ボール１５は、図１Ａに示すようにノズルの先端を下向きにした状態においては、重力にしたがってノズル本体１１内の前方側に移動する。また図１Ｂに示すようにノズルを水平方向に向けた状態においては、重力にしたがってノズル本体１１内の前方側から離れるように作用する。
【００４０】
一方、前記ノズル本体１１には、前記ホースを介して送られる高圧水を、ホース側から視た斜め前方に噴射する噴射口１６、および斜め後方に噴射する噴射口１７がそれぞれ形成されている。前記斜め前方への噴射口１６は複数、例えば４〜６個程度備えられ、各噴射口１６は、前記ノズル本体１１の周方向においてほぼ等間隔をもって放射状に形成されている。そして、好ましくは噴射口１６を形成する内管の軸芯と、ノズル本体１１の軸芯１３に直交する面との角度αは、５〜２０度に設定されている。
【００４１】
また、前記斜め後方への噴射口１７は複数、例えば４〜６個程度備えられ、各噴射口１７は、前記ノズル本体１１の周方向においてほぼ等間隔をもって放射状に形成されている。そして、好ましくは噴射口１７を形成する内管の軸芯と、ノズル本体１１の軸芯１３に直交する面との角度βは、４５度前後に設定されている。
【００４２】
前記ノズル本体１１に形成された送水空間１４から前記した斜め前方への噴射口１６に連通する送水部には円形状の開口１８が形成されており、図１Ａに示すようにノズルの先端を下向きにした状態において、前記ボール１５が前記開口１８を閉塞するように作用する。
【００４３】
また、同様にノズル本体１１に形成された送水空間１４から前記した斜め後方への噴射口１７に連通する送水部には円形状の開口１９が形成されており、図１Ｂに示すようにノズルを水平方向に向けた状態において、前記ボール１５が前記開口１９を閉塞するように作用する。したがって、ノズル本体１１に形成された送水空間１４内に収容された前記ボール１５と、送水空間１４に形成された円形状の開口１８，１９は、高圧水の送水を択一的に切り換える切替え弁として機能する。
【００４４】
斯くして、前記したノズルの構成によると、ホース側から視たノズル本体１１の前方が下向きに設定された図１Ａに示す状態においては、前記切替え弁を構成するボール１５がノズル本体内の前方側に移動して、円形状の開口１８を閉塞するので、ノズル本体に形成された斜め前方への噴射口１６に至る高圧水を封止し、ノズル本体に形成された斜め後方への噴射口１７に対して高圧水を送水するよう作用する。
【００４５】
また、ノズル本体１１が水平方向に向くように設定された図１Ｂに示す状態においては、前記切替え弁を構成するボール１５がノズル本体の前方側から離れ、円形状の開口１９を閉塞するので、ノズル本体に形成された斜め後方への噴射口１７に至る高圧水を封止し、ノズル本体に形成された斜め前方への噴射口１６に対して高圧水を送水するよう作用する。
【００４６】
次に、図２Ａおよび図２Ｂは管内洗浄用ノズルの第２の実施の形態をその中央部で切断した状態で示したものであり、これは後述する専用排水管の洗浄工法およびオーバーラップ洗浄工法において利用するに適したノズル構成を示している。
【００４７】
そして、図２Ａはノズルの先端を下向きにした状態を、また図２Ｂはノズルを水平方向に向けた状態をそれぞれ示している。この図２Ａおよび図２Ｂに示す構成の管内洗浄用ノズルは、基本構成はすでに説明した図１Ａおよび図１Ｂに示したものと同一であり、したがって相当する各部を同一符号で示し、その詳細な説明は省略する。
【００４８】
この図２Ａおよび図２Ｂに示す管内洗浄用ノズルにおいては、ノズル本体１１の前方側に斜め後方への噴射口１７が形成されており、またノズル本体１１の後方側に斜め前方への噴射口１６が形成されている。
【００４９】
したがって前記したノズルの構成によると、ホース側から視たノズル本体１１の前方が下向きに設定された図２Ａに示す状態においては、前記切替え弁を構成するボール１５がノズル本体内の前方側に移動して、円形状の開口１９を閉塞するので、ノズル本体に形成された斜め後方への噴射口１７に至る高圧水を封止し、ノズル本体に形成された斜め前方への噴射口１６に対して高圧水を送水するよう作用する。
【００５０】
また、ノズル本体１１が水平方向に向くように設定された図２Ｂに示す状態においては、前記切替え弁を構成するボール１５がノズル本体の前方側から離れ、円形状の開口１８を閉塞するので、ノズル本体に形成された斜め前方への噴射口１６に至る高圧水を封止し、ノズル本体に形成された斜め後方への噴射口１７に対して高圧水を送水するよう作用する。
【００５１】
図３は請求項９に記載された発明にかかる排水管の洗浄方法について説明するものであり、これは図１Ａおよび図１Ｂに示した管内洗浄用ノズルを利用して共用排水管を下向き洗浄する例を示したものである。なお、図３に示す集合住宅における排水管の設置例は、すでに説明した図８〜図１１に示した例と同一であり、したがってその詳細な説明は省略する。
【００５２】
図３に示した下向き洗浄工法においては、立管２の上端部もしくはその付近、すなわち、最上階における立管２の掃除口６もしくはその付近に設けられた通気口５より、立管２内にノズルＮが挿入される。そして、高圧水を噴射させない状態でホースＨを繰り出して、先端のノズルＮが最下階の横引き管３に至るまでホースを挿入する。この状態でホースに高圧水を送り込むことにより、ノズルＮに形成された斜め後方への噴射口１７より高圧水を噴射させることができる。
【００５３】
すなわち、ノズルＮが横引き管３に到達した状態においては、ノズルＮの姿勢は図１Ａに示すようにその先端が下向きにされた状態であり、ノズル本体内のボール１５は重力により斜め前方への噴射口１６に連通する開口１８を閉塞するように作用する。この状態で高圧水が送り込まれるために、高圧水は前記したとおり斜め後方への噴射口１７より噴射する。そして、高圧水がノズルに送り込まれている状態においては、ボール１５はその水圧を受けて開口１８の閉塞を継続する。
【００５４】
したがって、ノズルＮには前進方向への推進力が働き、これによりノズルＮを横引き管３内に容易に誘導することができる。そして、ホースを繰り出すことにより、ノズルＮは横引き管３内を進み、この時にノズルＮより吐出される噴射水により、横引き管３内を洗浄することができる。
【００５５】
横引き管３の洗浄が必要な位置までノズルＮが達した場合には、前記送水ホースに対する高圧水の送水を停止する。この状態においては、ノズルＮの姿勢は図１Ｂに示すように水平方向に向いた状態であり、したがってノズル本体内のボール１５は重力により、斜め後方への噴射口１７に連通する開口１９側に移動する。この状態で再びホースＨに送水を開始させることで、今度は斜め前方への噴射口１６より高圧水が噴射する。
【００５６】
なおこの時、図１Ｂに示すように開口１９はノズルの軸芯１３に対して必ずしも下側に位置していると限らず、再び送水したときにボール１５は再び開口１８を閉塞する場合もある。これはノズルに受ける推進力により作業員は感触で確認することができるので、送水を停止して、ホースＨを適宜回動させた後に送水することで、斜め前方への噴射口１６より高圧水を噴射するように切り替えることができる。そして、高圧水が送り込まれている状態においては、ボール１５はその水圧を受けて開口１９の閉塞を継続する。
【００５７】
そして、ホースＨを除々に引き上げることで、ノズルＮは後方向（戻り方向）に作用する推進力を受けつつ前記横引き管３内および立管２内を移動し、その噴射水により管内を洗浄することができる。
【００５８】
図１Ａおよび図１Ｂに示した管内洗浄用ノズルを利用した共用排水管の下向き洗浄工法によると、ノズルＮの進行および後退方向の推進力を利用して横引き管３内を往復において洗浄することができる。この時、立管２と横引き管３とが交差する曲がり部Ｔ１において、ホースＨとの間で大きな摩擦が発生するのを避けることができ、曲がり部にダメージを与える度合いを低減させることができる。またノズルの推進力が利用されるので、立管２内を引き上げる作業者の負担も軽減される。
【００５９】
なお、前記した共用排水管の下向き洗浄工法においては、最初にノズルＮより高圧水を噴射させない状態で立管２内を下ろし、ノズルＮが横引き管３に至るまでホースＨを繰り出すようにしているが、前記立管２内にノズルＮを下ろす際において高圧水を噴射させる洗浄工法（請求項１０に記載された発明）を採用することもできる。
【００６０】
この下向き洗浄工法（第２の下向き洗浄工法ともいう。）においては、図３に示すように最上階における立管２の掃除口６もしくはその付近に設けられた通気口５より、立管２にノズルＮが挿入される。この状態においては、ノズルＮの姿勢は図１Ａに示すようにその先端が下向きにされた状態であり、ノズル本体内のボール１５は重力により斜め前方への噴射口１６に連通する開口１８を閉塞する。この状態で高圧水が送り込まれ、これにより高圧水は斜め後方への噴射口１７より噴射される。
【００６１】
そして、ホースＨを立管２内に繰り出すことで、ノズルＮは立管２内を洗浄しつつ立管２内を下に向かって進行する。そして、ノズルＮが横引き管３に到達した場合にも引き続き高圧水を噴射させた状態とすることで、ノズルＮを横引き管３内に誘導することができる。この後は、前記した下向き洗浄工法と同様の工程が実行される。
【００６２】
前記した第２の下向き洗浄工法によると、立管２内のノズルＮの往復動において、それぞれ管内を洗浄することができるので、洗浄効率を上げることができる。
【００６３】
図４は、請求項１１に記載された発明にかかる排水管の洗浄方法について説明するものであり、これは図２Ａおよび図２Ｂに示した管内洗浄用ノズルを利用してＡ宅内の専用排水管１ａを洗浄する例を示したものである。なお、図４に示す集合住宅における排水管の設置例は、すでに説明した図８〜図１１に示した例と同一であり、したがってその詳細な説明は省略する。
【００６４】
図４に示した専用排水管の洗浄工法においては、Ａ宅内における専用排水管１ａに通ずる排水口より送水ホースＨの先端部に取り付けられた前記ノズルＮを挿入する。専用排水管１ａ内に挿入されたノズルＮの姿勢は、図２Ｂに示すように水平方向に向いた状態であり、したがってノズル本体内のボール１５は重力により、斜め前方への噴射口１６に連通する開口１８側に入り込む。この状態でホースＨに送水を開始させることで、斜め後方への噴射口１７より高圧水が噴射する。
【００６５】
なおこの時、図２Ｂに示すように開口１８はノズルの軸芯１３に対して必ずしも下側に位置していると限らず、送水を開始したときにボール１５は開口１９を閉塞する場合もある。これはノズルに受ける推進力により作業員は感触で確認することができるので、送水を停止して、ホースＨを適宜回動させた後に送水することで、図２Ｂに示すように斜め後方への噴射口１７より高圧水を噴射するように設定することができる。そして、高圧水がノズルに送り込まれている状態においては、ボール１５はその水圧を受けて開口１８の閉塞を継続する。
【００６６】
前記したようにノズルの斜め後方への噴射口１７より高圧水を噴射させた状態でホースＨを繰り出すことにより、ノズルＮは前方への推進力を受けて専用排水管１ａ内を、立管２に向かって進行し、この時、ノズルからの噴射水により専用排水管は洗浄される。そしてノズルＮが専用排水管１ａから立管２の合流部まで進行したところで、高圧水の送水を停止させる。
【００６７】
この時のノズルＮの姿勢は図２Ａに示すようにその先端が下向きにされた状態であり、ノズル本体内のボール１５は重力により斜め後方への噴射口１７に連通する開口１９を閉塞するように作用する。この状態で再び高圧水を送水することにより、図２Ａに示すようにノズルの斜め前方への噴射口１６より高圧水が噴射されることになり、ノズルＮは後退する方向への推進力を受ける。
【００６８】
この状態で、ホースＨを除々に引き上げる操作を行うことにより、ノズルＮから吐出する噴射水により専用排水管１ａ内は再び洗浄される。なお、前記した専用排水管の洗浄工法は、各階における宅内において同様に行われる。
【００６９】
前記図２Ａおよび図２Ｂに示した管内洗浄用ノズルを利用した専用排水管の洗浄工法によると、ノズルＮの進行および後退方向の推進力を利用して専用排水管内を往復において洗浄することができるので、洗浄効率を高めることができる。また排水口から専用排水管につながる曲がり部Ｔ２において、ホースＨとの間で大きな摩擦が発生するのを避けることができ、曲がり部にダメージを与える度合いを低減させることができる。またノズルの前進および後退方向への推進力が利用されるので、作業者の負担も軽減される。
【００７０】
図５は、請求項１２に記載された発明にかかる排水管の洗浄方法について説明するものであり、これは図２Ａおよび図２Ｂに示した管内洗浄用ノズルを利用してオーバーラップ洗浄工法により排水管を洗浄する例を示したものである。なお、図５に示す集合住宅における排水管の設置例は、すでに説明した図８〜図１１に示した例と同一であり、したがってその詳細な説明は省略する。
【００７１】
図５に示したオーバーラップ洗浄工法においては、Ａ宅内における専用排水管１ａに通ずる排水口より送水ホースＨの先端部に取り付けられたノズルＮを挿入する。専用排水管１ａ内に挿入されたノズルＮの姿勢は、図２Ｂに示すように水平方向に向いた状態であり、したがってノズル本体内のボール１５は重力により、斜め前方への噴射口１６に連通する開口１８側に入り込む。この状態でホースＨに送水を開始させることで、斜め後方への噴射口１７より高圧水が噴射する。
【００７２】
なおこの時、図２Ｂに示すように開口１８はノズルの軸芯１３に対して必ずしも下側に位置していると限らず、送水を開始したときにボール１５は開口１９を閉塞する場合もある。これはノズルに受ける推進力により作業員は感触で確認することができるので、送水を停止して、ホースＨを適宜回動させた後に送水することで、図２Ｂに示すように斜め後方への噴射口１７より高圧水を噴射するように設定することができる。そして、高圧水がノズルに送り込まれている状態においては、ボール１５はその水圧を受けて開口１８の閉塞を継続する。
【００７３】
前記したようにノズルの斜め後方への噴射口１７より高圧水を噴射させた状態でホースＨを繰り出すことにより、ノズルＮは前方への推進力を受けて専用排水管１ａ内を、立管２に向かって進行し、この時、ノズルからの噴射水により専用排水管は洗浄される。そしてノズルＮが専用排水管１ａから立管２の合流部まで進行した後も高圧水の噴射を継続したままホースＨを送り込むことで、ノズルＮは前記立管２と下の階の専用排水管１ｂとの合流部まで進行する。この間に立管２内はノズルからの噴射水により洗浄される。
【００７４】
図５に示すように前記ノズルＮが、下の階の専用排水管との合流部まで進行した時に高圧水の送水を停止させる。この時のノズルＮの姿勢は図２Ａに示すようにその先端が下向きにされた状態であり、ノズル本体内のボール１５は重力により斜め後方への噴射口１７に連通する開口１９を閉塞するように作用する。この状態で再び高圧水を送水することにより、図２Ａに示すようにノズルの斜め前方への噴射口１６より高圧水が噴射されることになり、ノズルＮは後退する方向への推進力を受ける。
【００７５】
この状態で、ホースＨを除々に引き上げる操作を行うことにより、ノズルＮは立管２内および専用排水管１ａ内に沿って戻り、この時にノズルＮから吐出する噴射水により立管２内および専用排水管１ａ内は再び洗浄される。なお、前記したオーバーラップ洗浄工法は、各階毎に同様の洗浄工法を実行することで、立管２の全体を洗浄することができる。
【００７６】
前記図２Ａおよび図２Ｂに示した管内洗浄用ノズルを利用したオーバーラップ洗浄工法工法においても、ノズルＮの進行および後退方向の推進力を利用して専用排水管および立管内を往復において洗浄することができるので、洗浄効率を高めることができる。また排水口から専用排水管につながる曲がり部Ｔ２および専用排水管と立管との間の曲がり部Ｔ３において、ホースＨとの間で大きな摩擦が発生するのを避けることができ、前記各曲がり部にダメージを与える度合いを低減させることができる。またノズルの前進および後退方向への推進力が利用されるので、作業者の負担も軽減される。
【００７７】
次に図６Ａ〜図６Ｃは、この発明にかかる管内洗浄用ノズルの他の好ましい実施の形態を示したものである。これは前記した共用排水管の下向き洗浄に適したノズルへの採用例を示している。なお、図６Ａにおいては、すでに説明した図１Ａに示す各部と同一の機能を果たす部分を同一符号で示しており、したがってその詳細な説明は省略する。
【００７８】
この図６Ａ〜図６Ｃに示す実施の形態においては、高圧水の噴射により回転駆動されるロータがノズル本体の周側面に沿って取り付けられ、前記ロータの回転に伴い、高圧水をノズル本体の周方向に回転させつつ噴射させる回転噴射手段がさらに備えられている。
【００７９】
すなわち、符号２１は円環状に形成されたロータであり、このロータ２１はノズル本体１１の周側面に沿って取り付けられている。そしてロータ２１の内周面側における前記ノズル本体１１には、給水路２２が環状に形成され、この給水路２２に対して送水空間１４より高圧水が供給されるように構成されている。
【００８０】
図６Ｂは、図６ＡのＤ−Ｄ線における断面図、すなわちロータ２１をほぼ中央で破断した状態で示している。図６Ｂに示されたようにロータ２１には、ロータの中心部を通る線に対して若干オフセットされた状態でノズル孔２１ａが形成されている。したがって前記したロータ２１の構成によると、給水路２２に供給される高圧水は、オフセットされた状態のノズル孔２１ａより噴射されるので、ロータ２１はその反作用により図６Ｂに示す矢印Ｒ方向に回転駆動を受ける。なお、図に示す前記ノズル孔２１ａは、周方向において２か所に形成されているが、これは周方向の３ないし４か所に形成される場合もある。
【００８１】
一方、図６Ｃはロータ２１の一部を拡大して示したものであり、このロータ２１はノズル本体１１との間でスリット２１ｂを形成し、前記したようにオフセット状態のノズル孔２１ａの作用により矢印Ｒ方向に回転駆動される。そして、前記スリット２１ｂより高圧水がノズル本体１１の軸芯１３に直交する方向に全周にわたって吐出され、あたかもウォータースクリーンのような吐出形態になされる。
【００８２】
したがって、前記した構成の管内洗浄用ノズルを利用することで、ノズル本体の周方向に回転されつつウォータースクリーンのように吐出される高圧水が加わるので、さらに排水管内の洗浄効果を高めることができる。
【００８３】
図７は、この発明にかかる管内洗浄用ノズルのさらに他の好ましい実施の形態を示したものである。これは前記した専用排水管の洗浄工法、もしくはオーバーラップ洗浄工法に適したノズルに採用した例を示している。なお、図７においては、すでに説明した図２Ａおよび図２Ｂに示す各部と同一の機能を果たす部分は同一符号で示しており、したがってその詳細な説明は省略する。
【００８４】
この図７に示す実施の形態においても、すでに説明した図６Ａ〜図６Ｃに示した例と同様にロータ２１が備えられ、このロータ２１の回転によりノズル本体の周方向に高圧水を回転させつつ吐出させることができるように構成されている。
【００８５】
加えて、図７に示す実施の形態においては、ノズル本体の前端部側に可撓性の連結部材を介して重りが取り付けられた構成にされている。すなわち、この実施の形態においては前記重りが複数個の重り２３ａ〜２３ｄに分割されて具備され、前記各重りが可撓性の連結部材２４ａ〜２４ｄをそれぞれ介して直列に接続された構成にされている。
【００８６】
前記各重り２３ａ〜２３ｄはそれぞれ端面部分に丸みを付けた円柱体により構成されており、前記各連結部材２４ａ〜２４ｄは、前記重りを構成する円柱体の端面において各重りを直列に結合している。そして、前記各連結部材は、適度な鋼性を備えた金属製もしくは合成樹脂製のワイヤーにより構成されている。
【００８７】
図７に示す例は、前記した専用排水管１ａから立管２に向かってノズルＮが移動する状況を示したものであり、前記各重り２３ａ〜２３ｄは重力方向への傾き作用により、前記専用排水管１ａから立管２に移動するノズル本体を立管２の重力方向、すなわち下に向かって誘導できるように作用する。
【００８８】
これにより、ノズルＮが誤って立管２内を上方向に進入するのを確実に阻止することができ、前記した専用排水管の洗浄工法、もしくはオーバーラップ洗浄工法において、排水管の確実な洗浄動作を期待することができる。
【図面の簡単な説明】
【００８９】
【図１Ａ】この発明にかかる管内洗浄用ノズルの第１の実施の形態をノズルの先端を下向きにした状態の断面図である。
【図１Ｂ】同じくノズルを水平方向に向けた状態の断面図である。
【図２Ａ】この発明にかかる管内洗浄用ノズルの第２の実施の形態をノズルの先端を下向きにした状態の断面図である。
【図２Ｂ】同じくノズルを水平方向に向けた状態の断面図である。
【図３】この発明にかかる共用排水管の下向き洗浄工法の例を説明する模式図である。
【図４】同じく専用排水管の洗浄工法の例を説明する模式図である。
【図５】同じくオーバーラップ洗浄工法の例を説明する模式図である。
【図６Ａ】この発明にかかる管内洗浄用ノズルの他の好ましい実施の形態を示した断面図である。
【図６Ｂ】図６Ａに示すＤ−Ｄ線におけるロータの断面図である。
【図６Ｃ】ロータの一部の拡大図である。
【図７】この発明にかかる管内洗浄用ノズルのさらに他の好ましい実施の形態を示した断面図である。
【図８】従来における共用排水管の上向き洗浄工法の例を説明する模式図である。
【図９】同じく共用排水管の下向き洗浄工法の例を説明する模式図である。
【図１０】同じく専用排水管の洗浄工法の例を説明する模式図である。
【図１１】同じくオーバーラップ洗浄工法の例を説明する模式図である。
【符号の説明】
【００９０】
１ａ〜１ｃ      専用排水管
２              立管
３              横引き管
４              マンホール
５              通気口
６              掃除口
１１            ノズル本体
１２            ホース接続口
１３            ノズル本体の軸芯
１４            送水空間
１５            ボール（封止体）
１６            斜め前方への噴射口
１７            斜め後方への噴射口
１８，１９      開口
２１            ロータ
２１ａ          ノズル孔
２１ｂ          スリット
２２            給水路
２３ａ〜２３ｄ  重り
２４ａ〜２４ｄ  連結部材
Ａ〜Ｃ          個別の宅内
Ｈ              ホース
Ｎ              ノズル
Ｐ              作業者
Ｔ１〜Ｔ３      曲がり部
【図１Ａ】
2008163644.tif 000003
【図１Ｂ】
2008163644.tif 000004
【図２Ａ】
2008163644.tif 000005
【図２Ｂ】
2008163644.tif 000006
【図３】
2008163644.tif 000007
【図４】
2008163644.tif 000008
【図５】
2008163644.tif 000009
【図６Ａ】
2008163644.tif 000010
【図６Ｂ】
2008163644.tif 000011
【図６Ｃ】
2008163644.tif 000012
【図７】
2008163644.tif 000013
【図８】
2008163644.tif 000014
【図９】
2008163644.tif 000015
【図１０】
2008163644.tif 000016
【図１１】
2008163644.tif 000017